(57)【要約】  【課題】リモートコントローラを紛失した場合でも、機器本体のキーのみでリモートコントローラの各キーの機能を実現でき、リモートコントローラのキーの数が多い場合でも各キーの機能を実現でき、且つ各キーの選択（割り当て）を容易に行うことのできるディスク装置一体型テレビジョン受像機およびオーディオビジュアル機器を提供する。  【解決手段】操作部に「キー選択メニュー」キーを設け、このキーが押されると、表示部４９にキー選択メニューの画像１１が表示される。この画像中の大括弧内には、現在選択されているキーの名称が表示される。「キー選択メニュー」キーが押される度に、リモートコントローラの各キーの名称が順次切り替わって表示される。選択したいキーの名称が表示された時点で「再生」キー６２が押されると、そのとき表示されていたキーの機能が実行される。【選択図】  図７
2005086481.tif 000002
【特許請求の範囲】
【請求項１】
映像または音声の記録されたディスクのデータを再生するディスク装置と、ディスク装置により再生されたデータまたは放送信号のいずれかの映像を表示する表示部を備えたテレビジョン受像機と、複数のキーを有する操作部と、複数のキーを有するリモートコントローラとからなるディスク装置一体型テレビジョン受像機において、
前記ディスク装置は、その動作を制御する制御部を備え、
前記テレビジョン受像機は、その動作、前記操作部の動作、および前記リモートコントローラの動作を制御する制御部を備え、
前記操作部は、第１特別キーと第２特別キーとを備え、
前記テレビジョン受像機の制御部は、前記第１特別キーが押される度に前記リモートコントローラのキーの名称を順番に前記表示部に表示し、前記第２特別キーが押されたときに前記表示部に表示されているキーが前記テレビジョン受像機にかかるものであれば当該キーの機能を実行し、且つ当該キーが前記ディスク装置にかかるものであれば、当該キーの情報を前記ディスク装置の制御部に送り、
当該キーの情報を受けた前記ディスク装置の制御部は、当該キーの機能を実行することを特徴とするディスク装置一体型テレビジョン受像機。
【請求項２】
複数のキーを有する機器本体と、複数のキーを有するリモートコントローラとを備えたオーディオビジュアル機器において、
機器本体に設けられた第１特別キーと、機器本体に設けられた第２特別キーと、機器本体、リモートコントローラ、および前記機器本体に接続された表示部の動作を制御する制御部とを備え、
前記第１特別キーが押される度に、前記制御部は前記リモートコントローラのキーの名称を順番に前記表示部に表示し、
前記第２特別キーが押されると、前記制御部は前記表示部に表示されているキーの機能を実行することを特徴とするオーディオビジュアル機器。
【請求項３】
請求項２に記載のオーディオビジュアル機器において、前記制御部は、前記第２特別キーが押されたことにより実行されたキー、前記機器本体のキー、および前記リモートコントローラのキーの押された履歴からステータスの情報を作成し、且つ前記第１特別キーが押されたステータスにおいて有効な前記リモートコントローラのキーの名称を前記表示部に表示することを特徴とするオーディオビジュアル機器。
【請求項４】
請求項３に記載のオーディオビジュアル機器において、前記制御部は、前記第１特別キーが押されたときの前記ステータスごとに、前記第２特別キーが押されたときに表示されていたキーの履歴を管理し、且つ前記履歴に基づく順番で前記リモートコントローラのキーの名称を前記表示部に表示することを特徴とするオーディオビジュアル機器。
【請求項５】
請求項２ないし請求項４のいずれかに記載のオーディオビジュアル機器において、記録媒体を再生する再生部を更に備え、前記制御部は、再生部にセットされている記録媒体の種別または記録媒体の有無を判断し、且つ前記判断に基づいて有効なキーの名称を前記表示部に表示することを特徴とするオーディオビジュアル機器。
【請求項６】
請求項２ないし請求項５のいずれかに記載のオーディオビジュアル機器において、前記第２特別キーは通常の操作に用いられるキーであることを特徴とするオーディオビジュアル機器。
【発明の詳細な説明】
【技術分野】
【０００１】
本発明は、ディスク装置一体型テレビジョン受像機およびオーディオビジュアル機器に関するものである。
【背景技術】
【０００２】
ビデオテープレコーダ、ＤＶＤレコーダ等のオーディオビジュアル機器の操作には、再生、停止、早送り、早戻し等の基本操作と、録画予約等の付加操作とがある。操作性、設置スペース、コスト等を考慮して、機器本体に設けられたキーによって基本操作のみが行われ、リモートコントローラに設けられたキーによって基本操作および付加操作が行われるようになっている。このため、リモートコントローラを紛失すると、付加操作ができなくなってしまうという問題がある。
【０００３】
特許文献１には、機器の動作状態に応じて、リモートコントローラにのみ設けられたキーの機能を機器本体に設けられたキーに割り当てることにより、上記問題を解決することが示されている。より具体的には、機器で録画・再生をしていないときには、機器本体に設けられた「停止」キーをリモートコントローラにのみ設けられた「メニュー」キーとして機能させてメニューモードに入り、機器本体に設けられた「ＴＶ／ＶＴＲ切換え」キーをリモートコントローラにのみ設けられた「セレクト」キーとして機能させることにより、テレビジョン受像機の画面に表示されたメニューを選択して、実行させることが示されている。
【０００４】
特許文献２には、複数の記録媒体の記録再生を行う機器において、記録媒体ごとに実現できる機能（例えば、プレイリストの作成、プログラムナビ等）が異なるために、各機能に対応したキーをリモートコントローラに備えなければならないという問題を解決するために、「機能一覧表示」キーと「カーソル」キーとをリモートコントローラに設け、「機能一覧表示」キーが押されると、機器にセットされている記録媒体の実現可能な機能の一覧が表示され、「カーソル」キーにより実行される機能が選択されることが示されている。
【０００５】
【特許文献１】特開平５−１５１６５１号公報（段落００１３〜段落００２１、図５、図６）
【特許文献２】特開２００２−２６９９６３号公報（段落０００５、段落００１４〜段落００１８、図１、図２）
【発明の開示】
【発明が解決しようとする課題】
【０００６】
しかしながら、特許文献１のものにおいては、機器の動作状態に応じて、リモートコントローラのキーの機能を機器本体のキーに割り当てているので、割り当てを行うリモートコントローラのキーの数が増えると割り当てができなるという問題がある。また、割り当てが機器に内蔵されたプログラムによって予め決められているので、視聴者は、動作状態、機器本体のキーおよび当該キーに割り当てられるリモートコントローラのキーの機能の関係を操作マニュアルで調べなければならず、使い勝手が良くないという問題もある。尚、特許文献２のものは、「機能一覧表示」キーを設けることにより操作性を向上させるものであって、リモートコントローラを紛失した場合に機器本体のキーのみでリモートコントローラの機能を実現するものではない。
【０００７】
本発明は、上記問題点を解決するものであって、その課題とするところは、リモートコントローラを紛失した場合でも、機器本体のキーのみでリモートコントローラの各キーの機能を実現でき、リモートコントローラのキーの数が多い場合でも各キーの機能を実現でき、且つ各キーの選択（割り当て）を容易に行うことのできるディスク装置一体型テレビジョン受像機およびオーディオビジュアル機器を提供することにある。
【課題を解決するための手段】
【０００８】
本発明では、複数のキーを有する操作部と複数のキーを有するリモートコントローラとを備えたディスク装置一体型テレビジョン受像機において、操作部に第１特別キーと第２特別キーと設ける。テレビジョン受像機の制御部は、第１特別キーが押される度にリモートコントローラのキーのいずれかの名称を順番に表示部に表示し、第２特別キーが押されたときに表示部に表示されているキーがテレビジョン受像機にかかるものであれば当該キーの機能を実行し、且つ当該キーが前記ディスク装置にかかるものであれば、当該キーの情報をディスク装置の制御部に送る。当該キーの情報を受けたディスク装置の制御部は、当該キーの機能を実行する。
【０００９】
このようにすることで、第１特別キーが押される度にリモートコントローラのキーの名称が順番に表示部に表示され、第２特別キーが押されたときに表示されているキーの機能が実行される。これにより、リモートコントローラを紛失した場合でも、操作部のキーのみによってリモートコントローラのキーの機能を実行することができる。また、選択可能なリモートコントローラのキーの名称が順番に表示されるので、リモートコントローラのキーの数が多い場合でも、キーの機能の割り当てをすることができる。さらに、実行されるキーの名称が表示部に表示されるので、視聴者は操作マニュアル等を調べる必要がなく、容易に各キーの選択（割り当て）操作を行うことができる。
【００１０】
また、本発明では、複数のキーを有する機器本体と複数のキーを有するリモートコントローラとを備えたオーディオビジュアル機器において、機器本体に第１特別キーと第２特別キーと設ける。その制御部は、第１特別キーが押される度にリモートコントローラのキーの名称を順番に機器本体に接続された表示部に表示し、第２特別キーが押されたときに表示部に表示されているキーの機能を実行する。
【００１１】
このようにすることで、第１特別キーが押される度にリモートコントローラのキーの名称が順番に表示部に表示され、第２特別キーが押されたときに表示されているキーの機能が実行される。これにより、リモートコントローラを紛失した場合でも、操作部のキーのみによってリモートコントローラのキーの機能を実行することができる。また、選択可能なリモートコントローラのキーの名称が順番に表示されるので、リモートコントローラのキーの数が多い場合でも、キーの機能の割り当てをすることができる。さらに、実行されるキーの名称が表示部に表示されるので、視聴者は操作マニュアル等を調べる必要がなく、容易に各キーの選択（割り当て）操作を行うことができる。尚、機器本体に接続された表示部は、オーディオビジュアル機器自体の表示部または他の機器の表示部のいずれでもよい。
【００１２】
本発明においては、制御部は、第２特別キーが押されたことにより実行されたキー、機器本体のキー、およびリモートコントローラのキーの押された履歴からステータスの情報を作成し、且つ第１特別キーが押されたステータスにおいて有効なリモートコントローラのキーの名称を表示部に表示する。このようにすることで、当該ステータスにおいて受け付けられないキーの名称が表示部に表示されなくなり、効率的にリモートコントローラのキーの選択（割り当て）をすることができる。尚、リモートコントローラを紛失してしまっている場合には、リモートコントローラのキーが押された履歴は上記履歴に含まれない。
【００１３】
また、本発明においては、制御部は、第１特別キーが押されたときのステータスごとに、第２特別キーが押されたときに表示されていたキーの履歴を管理し、且つ履歴に基づく順番でリモートコントローラのキーの名称を表示部に表示する。このようにすることで、当該ステータスにおいて使用頻度の高いキーの名称から順番に表示されるので、キーの選択操作を効率的に行うことができる。
【００１４】
また、本発明においては、記録媒体を再生する再生部を更に備え、制御部は、再生部にセットされている記録媒体の種別または記録媒体の有無を判断し、且つ当該判断に基づいて有効なキーの名称を表示部に表示する。このようにすることで、例えば、セットされている記憶媒体では実現できない機能のためのキーは表示部に表示されなくなるので、キーの選択操作を効率的に行うことができる。
【００１５】
さらに、本発明においては、第２特別キーは通常の操作に用いられるキー（例えば、「再生」キー）である。このようにすることで、専用の第２特別キーを設ける必要がなくなり、操作部のコストが低減され、スペース効率も向上する。
【発明の効果】
【００１６】
本発明によれば、リモートコントローラを紛失した場合でも、機器本体のキーのみでリモートコントローラの各キーの機能を実現でき、リモートコントローラのキーの数が多い場合でも各キーの機能を実現でき、且つ各キーの選択（割り当て）を容易に行うことができる。
【発明を実施するための最良の形態】
【００１７】
図１は、本発明に係るディスク装置一体型テレビジョン受像機１の外観図である。本ディスク装置一体型テレビジョン受像機１は、ディスク装置２、テレビジョン受像機４、操作部６およびリモートコントローラ８から構成される。２６はディスク１０（図３参照）をディスク装置２に搬入出するためのトレイ、６０は電源スイッチである。操作部６には複数のキーが設けられている。６１は、本発明にかかる第１特別キーである「キー選択メニュー」キーである。６２は、本発明にかかる第２特別キーであり、且つディスク１０の再生を開始するための「再生」キーである。
【００１８】
６３は早送り再生を行うための「早送り」キー、６４は早戻し再生を行うための「早戻し」キー、６５はトレイ２６を開閉するための「オープン／クローズ」キー、６６は再生を停止するための「ストップ」キー、６７は再生を一時停止するための「ポーズ」キーである。６８はチャンネルを変えるための「チャンネルアップ」キー、「チャンネルダウン」キーである。６９は音量を増減するための「音量アップ」キー、「音量ダウン」キーである。リモートコントローラ８には、電源スイッチ８０、操作部６に設けられているキーと同じ機能のキー８１、およびリモートコントローラ８にのみあるキー８２が設けられている。図２は、リモートコントローラ８にのみ設けられているキー８２の名称および機能の概略を示す。これ以外のキーもあるが、本発明の要部ではないので説明は省略する。
【００１９】
図３は、本発明に係るディスク装置一体型テレビジョン受像機１のブロック図である。まず、ディスク装置２の構成について説明する。このディスク装置２は、映像または音声の記録されたＤＶＤ、ＣＤ、ＶＣＤ（ビデオＣＤ）等の各種の記録媒体であるディスク１０のデータを再生する。
【００２０】
再生部２５は、ディスク１０を戴置して搬入出するためのトレイ２６、ディスク１０のデータを再生するための再生ヘッドおよび再生の際にディスク１０を回転させるための回転駆動機構等から構成される。また、再生部２５にはセンサが設けられており、ＣＰＵ２１からディスク１０の有無、トレイ２６のオープン状態等を調べることができるようになっている。再生部２５で再生されたディスク１０のデータは、再生信号処理部２４で復号化され、その後Ｄ／Ａ変換されてＯＳＤ処理部２３に送られる。
【００２１】
本ディスク装置２は、ディスク１０の有無、トレイ２６のオープン状態等を視聴者に知らせるために各種メッセージをディスク１０の再生データまたは背景画像データに重畳させて表示するオンスクリーン表示（以下、ＯＳＤという）機能を備えている。背景画像データおよびＯＳＤデータはメモリー２２に格納されている。ある場合は、ＣＰＵ２１により取り出された背景画像データおよびＯＳＤデータが合成され、ＯＳＤ処理部２３を経由してテレビジョン受像機４の信号選択部４４に送られる。また、別の場合は、ＯＳＤデータがＯＳＤ処理部２３で再生データに重畳されてテレビジョン受像機４の信号選択部４４に送られる。
【００２２】
ＣＰＵ２１には、メモリー２２が接続されている。メモリー２２には、ディスク装置２の動作を制御するためのプログラム、上述の背景画像データおよびＯＳＤデータ、各種の制御データ等が格納されている。また、メモリー２２はＣＰＵ２１の演算作業領域としても使用される。
【００２３】
次に、テレビジョン受像機４の構成について説明する。アンテナ５２で受信された放送信号は、チューナ５０で選局され、信号選択部４４に送られる。信号選択部４４では、ＣＰＵ４１からの信号により、放送信号、外部入力端子５１からの信号またはディスク装置２のＯＳＤ処理部２３からの信号のいずれかが選択される。信号選択部４４の出力信号はＯＳＤ処理部４３に送られ、ここでＣＰＵ４１から送られてくるＯＳＤデータが重畳される。このＯＳＤ処理部４３では、テレビジョン受像機４用のＯＳＤデータが重畳される。上記重畳された信号は、映像信号処理部４５に送られ、そこで音声信号と、映像信号、水平走査信号および垂直走査信号とに分離される。音声信号は音声アンプ４６で増幅されて音声出力部４７（例えば、スピーカ）から出力される。映像関連の信号は、表示駆動部４８を介して表示部４９（例えば、ＣＲＴ、液晶パネル等）に送られる。
【００２４】
ＣＰＵ４１にはメモリー４２が接続されている。メモリー４２には、テレビジョン受像機４の動作を制御するためのプログラム、上述のＯＳＤデータおよび各種の制御データ等が格納されている。また、メモリー４２はＣＰＵ４１の演算作業領域としても使用される。
【００２５】
複数のキー６１〜６９（図１参照）を備えた操作部６もＣＰＵ４１に接続されている。また、複数のキー８１、８２（図１参照）を備えたリモートコントローラ８からの信号もＣＰＵ４１に送られる。キー６１〜６９、８１、８２には、ディスク装置２の操作専用のキー、テレビジョン受像機４の操作専用のキーおよび両者で共用されるキーがあり、いずれかのキーが押されると、信号がＣＰＵ４１に送られ、キー６１〜６９、８１、８２の種類に応じた処理が行われる。
【００２６】
次に、フローチャートに沿って本発明の動作について説明する。図４は、ディスク装置２側の動作を示すフローチャートである。図５は、テレビジョン受像機４側の動作を示すフローチャートである。以下では、ディスク１０はＤＶＤであるとして説明される。尚、フローチャートには、ディスク装置一体型テレビジョン受像機１の全体の動作ではなく、本発明に関連する部分の動作が示される。まず、図４について説明する。
【００２７】
まず、電源が投入されると、所定の初期化処理がされた後に、ＣＰＵ２１は、ディスク情報を収集して（Ｓ１）、その情報をテレビジョン受像機４側のＣＰＵ４１に送信する（Ｓ２）。ディスク情報としては、トレイ２６がオープンであるか否か、ディスク１０がトレイ２６にセットされているか否か、ディスク１０がトレイ２６にセットされている場合にはディスク１０の種別（ＤＶＤ，ＣＤ等）等がある。ディスク情報を参照することにより、例えば、トレイ２６がオープン状態であれば、「オープン／クローズ」キー６５が押されたときに、トレイ２６は閉じられる。
【００２８】
次に、ディスク１０がトレイ２６に新たにセットされて再生可能な状態になったか否かが調べられる（Ｓ３）。新たに再生可能な状態になった場合は、ＤＶＤのディスクメニューが再生される（Ｓ４）。ディスクメニューのデータは、再生信号処理部２４およびＯＳＤ処理部２３を介してテレビジョン受像機４側に送られ、表示部４９に表示される。次に、ＣＰＵ２１は、ディスクメニューが表示中である旨をテレビジョン受像機４側のＣＰＵ４１に送信する（Ｓ５）。その後、Ｓ１に戻る。尚、Ｓ３でＹＥＳと判断されて、Ｓ４〜Ｓ２が実行された後にＳ３へ戻ったときは、同じディスク１０がセットされているので、Ｓ３の判定はＮＯとなる。
【００２９】
Ｓ３でディスク１０が新たにセットされて再生可能な状態になったと判断されなかった場合は、テレビジョン受像機４側からディスク装置２の動作に関するキーの情報を受信したか否かが調べられる（Ｓ６）。このキーの情報は、単なるキーのコードではなく、ＣＰＵ２１が実行すべき内容を示す一種のコマンドである。キーの情報を受信した場合は、キー情報に応じた処理が行われる（Ｓ７）。例えば、リモートコントローラ８の「セットアップ」キーが押された場合には、セットアップメニューがＯＳＤとして表示される。また、セットアップメニューの表示中にリモートコントローラ８の「戻る」キーが押された場合には、そのＯＳＤは消去される。その後、Ｓ１に戻る。キーの情報を受信しなかった場合は、何もせずにＳ１に戻る。
【００３０】
次に、図５を参照しつつテレビジョン受像機４側の動作を説明する。まず、電源が投入されると、所定の初期化処理がされる。この際、メモリー４２中のステータス情報も初期化される。その後、ディスク装置２側のＣＰＵ２１からディスク情報を受信したか否かが調べられ（Ｓ２１）、受信しなかった場合はＳ２３に進む。受信した場合は、そのディスク情報によりステータス情報を更新し（Ｓ２２）、Ｓ２３に進む。ステータス情報については後述する。
【００３１】
Ｓ２３では、「ディスクメニュー表示中」を受信したか否かが調べられ、受信しなかった場合はＳ２５に進む。受信した場合は、「ディスクメニュー表示中」であるという情報によりステータス情報を更新し（Ｓ２４）、Ｓ２５に進む。キーの中には、ディスクメニューが表示部４９に表示されているときにのみ受け付けられるキーがあるので、押されたキーを受け付けるか否かを判断する際に、この情報がＣＰＵ４１により参照される。
【００３２】
Ｓ２５では、いずれかのキーが押されたか否かが調べられ、押されていない場合はＳ２１に戻る。押された場合は、当該キーが有効であるか否かがステータス情報に基づいて判断される（Ｓ２６）。ここで、ステータス情報について説明する。ステータス情報とは、ディスク装置一体型テレビジョン受像機１の動作状態であるステータスに関する情報である。例えば、電源投入時の初期化処理により、所定のステータス（ＳＴ０）になるとする。ステータス（ＳＴ０）において、キー（Ｋ０）が押されると、機能（Ｆ０）が実行されてステータス（ＳＴ０）に戻る。キー（Ｋ１）が押されると、機能（Ｆ１）が実行されてステータス（ＳＴ１）に遷移する。しかし、キー（Ｋ３）は受け付けられない（キーが有効ではない）。また、ステータス（ＳＴ０）とステータス（ＳＴ１）とでは、受け付けられるキーの種類も異なる。また、ステータスが異なれば、同じキーでも異なった機能が実行されることもある。
【００３３】
また、ディスク１０の再生中であっても、ＤＶＤの再生中は映像のズームをオン／オフする「ズーム」キーは受け付けられるが、映像の記録されていないＣＤの再生中は「ズーム」キーは受け付けられない。つまり、キーが有効であるか否かを判断するためには、各種のキーの押された順序の情報のみでなく、ディスク１０の種別、ディスクメニューを表示中であるか否か等のディスク情報も併せて考慮する必要がある。すなわち、ステータス情報とは、各種のキーの押された順序の情報とディスク情報が合体された情報から得られるディスク装置一体型テレビジョン受像機１のステータスを示す情報である。
【００３４】
Ｓ２６でキーが有効ではないと判断された場合は、Ｓ２１に戻る。有効であると判断された場合は、当該キーが「キー選択メニュー」キー６１（第１特別キー）であるか否かが調べられ（Ｓ２７）、該当しない場合はＳ３０に進む。該当する場合は、関数（サブルーチン）を呼び出すことによって、キー選択メニュー処理が行われる（Ｓ２８）。「キー選択メニュー」キー６１が押されたステータスで受け付けられるキーの名称とキーコードの組のリスト（受付可能キーリスト）をパラメータとして関数が呼び出される。
【００３５】
次に、上記関数からキーコードが戻されたか否かが調べられ（Ｓ２９）、戻されなかった場合はＳ２１に戻る。戻された場合は、Ｓ３０に進む。Ｓ３０では、Ｓ２６で有効と判断されたキーのコードまたは上記関数から戻されたキーコード、およびステータス情報から、当該キーがディスク装置２用のキーであるか否かが判断される。ディスク装置２用のキーである場合は、ディスク装置２のＣＰＵ２１にキーの情報を送信し（Ｓ３１）、Ｓ３３に進む。このキーの情報は単なるキーコードではなく、キーコードおよび現在のステータスから求められたディスク装置２のＣＰＵ２１が実行すべき処理内容（例えば、セットアップメニューを表示せよ）を示すものであり、一種のコマンドである。
【００３６】
ディスク装置２用のキーであると判断されなかった場合は、当該キーはテレビジョン受像機４用のキー（例えば、放送番組の選局用のキー）または共用されるキー（例えば、音量アップキー）であるので、ＣＰＵ４１は、現在のステータスに従って当該キーの種類に応じた処理を行う。その後、Ｓ３３に進む。Ｓ３３では、Ｓ２６で有効と判断されたキーまたは上記関数から戻されたキーコードのキーによってステータスが変化する場合があるので、それに合わせてステータス情報を更新する。
【００３７】
次に、図６を参照しつつキー選択メニュー処理について説明する。この処理は、テレビジョン受像機４のＣＰＵ４１によって実行される。まず、図７に示されるキー選択メニューの画像１１が表示部４９に表示される（Ｓ４１）。図中の斜線部は、ディスク１０の再生データの画像、静止の背景画像等である。キー選択メニューの画像１１の大括弧内には、上記受付可能キーリストの先頭にあるキーの名称（ここでは、「サブタイトル」キー）が表示される。キー選択メニューの画像１１の表示は、ＣＰＵ４１がメモリー４２から当該画像の表示用のＯＳＤデータを取り出して、それを部分的に加工してＯＳＤ処理部４３に送ることによって行われる。
【００３８】
次に、いずれかのキーが押されたか否かが調べられ（Ｓ４２）、押された場合は、そのキーが「再生」キー６２（第２特別キー）であるか否かが調べられる（Ｓ４３）。「再生」キー６２である場合は、キー選択メニューの画像１１が消去され（Ｓ４４）、「再生」キー６２が押されたときに大括弧内に表示されているキーのコードを戻り値として呼び出し元に戻る（Ｓ４５）。キー選択メニューの画像１１の消去は、当該画像用のＯＳＤデータをＯＳＤ処理部４３に送るのを止めることによって行われる。
【００３９】
Ｓ４３で「再生」キー６２であると判断されなかった場合は、押されたキーが「キー選択メニュー」キー６１（第１特別キー）であるか否かが調べられる（Ｓ４６）。「キー選択メニュー」キー６１である場合は、受付可能キーリスト中の次のキーの名称をキー選択メニューの画像１１中の大括弧内に表示して（Ｓ４７）、Ｓ４２に戻る。「キー選択メニュー」キー６１ではない場合は、何もせずにＳ４２に戻る。つまり、キー選択メニュー処理においては、「キー選択メニュー」キー６１および「再生」キー６２以外のキーは無視される。Ｓ４２でキーが押されたと判断されなかった場合は、直近の「キー選択メニュー」キー６１が押されてから所定の時間（例えば、５秒）が経過したか否かが調べられる（Ｓ４８）。経過していない場合は、Ｓ４２に戻る。経過した場合は、キー選択メニューの画像１１を消去して、戻り値無しで呼び出し元に戻る（Ｓ５０）。
【００４０】
ここで、受付可能キーリスト（以下、「リスト」という）について説明する。このリストは、ステータスごとのリストの集合であり、メモリー４２に固定データ（定数）として格納されている。「キー選択メニュー」キー６１が押された時点のステータスに対応するリストがメモリー４２から読み出されて、キー選択メニュー処理の関数が呼び出されるときにパラメータとして渡される。このリストは、当該ステータスで受け付けられるキーの名称およびキーコードの組から構成される。
【００４１】
また、操作部６に設けられているキー６３〜６９の名称は、そのキーを押せばよいので、リストには格納されていない。また、ＤＶＤがトレイ２６にセットされていないステータスでは、ＤＶＤのタイトルを表示することができないので、「タイトル」キーの名称は当該ステータスに対応するリストには格納されていない。ＤＶＤを再生中のステータスでは、映像のズームをオン／オフするための「ズーム」キーの名称は当該ステータスに対応するリストに格納されているが、映像の記録されていないＣＤの再生中のステータスでは、「ズーム」キーの名称は当該ステータスに対応するリストには格納されていない。このように、「キー選択メニュー」キー６１が押された時点のステータスに応じて、有効なキーの名称のみがリストに格納されているので、キーの選択を効率的に行うことができる。
【００４２】
次に、リモートコントローラ８を紛失した場合を想定して、図８〜図１０を参照しつつ本発明の動作例を説明する。尚、図８〜図１０では、キー選択メニューの画像１１が簡略的に図示されている。ＤＶＤの再生中に他のタイトルを再生したくなった場合について述べる。「タイトル」キーはリモートコントローラ８にしかないので、まず「キー選択メニュー」キー６１が押される。そうすると、図８（ａ）に示されるように表示部４９にキー選択メニューの画像１１が表示される。「キー選択メニュー」キー６１が押される度に選択されているキーの表示が順次切り替わる。「タイトル」キーが表示（選択）されている時点で、「再生」キー６２が押されると、「タイトル」キーの機能が実行され、図８（ｂ）に示されるように、キー選択メニューの画像１１が消え、タイトルメニューの画像１２が表示される。この画像には、タイトル（１）〜（６）の名称が表示され、この時点ではタイトル（１）が選択されている。
【００４３】
次に、「キー選択メニュー」キー６１が押されると、図９（ａ）に示されるように、キー選択メニューの画像１１が表示される。この時点では、「右カーソル」キーが選択されている。「キー選択メニュー」キー６１が再度押されると、図９（ｂ）に示されるように、「下カーソル」キーが選択される。次に、「再生」キー６２が押されると、「下カーソル」キーの機能が実行され、図１０（ａ）に示されるようにキー選択メニューの画像１１が消えると共に、タイトルメニューの画像１２中のタイトル（４）が選択される。次に、「キー選択メニュー」キー６１が押されると、図１０（ｂ）に示されるように、キー選択メニューの画像１１が表示され、「決定」キーが選択されている状態で、「再生」キー６２が押されると、選択されているタイトル（４）が実行される。
【００４４】
以上述べた実施形態においては、ＤＶＤ等のディスク１０のデータを再生するディスク装置２とテレビジョン受像機４とからなるディスク装置一体型テレビジョン受像機１について説明したが、テレビジョン受像機、ＤＶＤレコーダ、ＤＶＤプレーヤ、ＶＴＲ（ビデオテープレコーダ）等のオーディオビジュアル機器においても本発明を実施することができる。また、上記実施形態では、ディスク装置２側、テレビジョン受像機４側に夫々ＣＰＵ２１、４１およびメモリー２２，４２を持たせ、夫々で機能を分担する場合について説明したが、ＣＰＵおよびメモリーを夫々１つとしても本発明を実施することができる。
【００４５】
さらに、上記実施形態では、第１特別キーとして通常の操作にしない専用の「キー選択メニュー」キー６１を設け、第２特別キーとして通常の操作でも使用する「再生」キー６２を用いる場合について説明したが、第２特別キーとして専用キーを設けてもよい。
【００４６】
さらに、上記実施形態では、「キー選択メニュー」キー６１（第１特別キー）が押される度に、メモリー４２に固定データとして格納されている受付可能キーリストの先頭から順番にキーの名称を表示するようにしていたが、これ以外の方法も考えられる。例えば、各キーの名称に対応させてメモリー４２に変数領域を確保し、「再生」キー６２（第２特別キー）が押される度に、選択されていたキーおよびその他のキーの変数領域を更新し、「キー選択メニュー」キー６１が押されたときは、各キーの変数領域の値に基づく順番（「再生」キー６２が押されたときに選択（表示）されていたキーの履歴に基づく順番）にキーの名称を表示するようにしてもよい。上記の変数領域の更新は、例えば、以下のように行われる。最初に「再生」キー６２が押されたときに「アングル」キーが選択されていたときは「アングル」キーの変数領域に１を設定する。２回目に、「サブタイトル」キーが選択されていたときは、「サブタイトル」キーの変数領域に１を設定し、「アングル」キーの変数領域に２を設定する。そして、「キー選択メニュー」キー６１が押されたときには、小さな数値を持つ変数に対応するキーから順番に表示される。    
【図面の簡単な説明】
【００４７】
【図１】ディスク装置一体型テレビジョン受像機の外観図である。
【図２】リモートコントローラにのみ設けられているキーを示す図である。
【図３】ディスク装置一体型テレビジョン受像機のブロック図である。
【図４】ディスク装置側の動作を示すフローチャートである。
【図５】テレビジョン受像機側の動作を示すフローチャートである。
【図６】キー選択メニュー処理の動作を示すフローチャートである。
【図７】キー選択メニュー画面を示す図である。
【図８】本発明の動作例を示す図である。
【図９】本発明の動作例を示す図である。
【図１０】本発明の動作例を示す図である。
【符号の説明】
【００４８】
１    ディスク装置一体型テレビジョン受像機
２    ディスク装置
４    テレビジョン受像機
６    操作部
８    リモートコントローラ
１０  ディスク
１１  キー選択メニューの画像
１２  タイトルメニューの画像
２１，４１  ＣＰＵ（制御部）
２２，４２  メモリー（記憶部）
４９  表示部
６１  「キー選択メニュー」キー（第１特別キー）
６２  「再生」キー（第２特別キー）
【図１】
2005086481.tif 000003
【図２】
2005086481.tif 000004
【図３】
2005086481.tif 000005
【図４】
2005086481.tif 000006
【図５】
2005086481.tif 000007
【図６】
2005086481.tif 000008
【図７】
2005086481.tif 000009
【図８】
2005086481.tif 000010
【図９】
2005086481.tif 000011
【図１０】
2005086481.tif 000012